(57)【特許請求の範囲】
【請求項１】
ハウジングの壁面に光源が取り付けられると共に、前記の光源からの光が導かれる光学部材が、前記の壁面と交差するようにしてハウジングの内部に設けられた取付部に取り付けられた光学装置において、前記のハウジングに少なくとも２つの開口部を設けて、前記の壁面と取付部との交差部分の近傍に冷風を導く冷風流路をハウジングの内部に形成するにあたり、前記の取付部を前記の壁面の高さ方向の途中の位置に設け、前記の光学部材が取り付けられた部分とこの取付部を介して反対側の部分に前記の開口部を設け、前記の取付部を介して前記の光学部材が設けられた側と反対側におけるハウジングの内部に、前記の冷風流路を形成したことを特徴とする光学装置。
【請求項２】
請求項１に記載の光学装置において、前記の開口部をハウジングの壁面に設けたことを特徴とする光学装置。
【請求項３】
請求項１又は請求項２に記載の光学装置において、光源が設けられた壁面と取付部との交差部分に近い位置における開口部を通して、冷風を前記の冷風流路に導くことを特徴とする光学装置。
【請求項４】
請求項１又は請求項２に記載の光学装置において、光源が設けられた壁面と取付部との交差部分から離れた位置における開口部を通して、冷風を前記の冷風流路に導くことを特徴とする光学装置。
【請求項５】
請求項１〜請求項４の何れか１項に記載の光学装置において、ハウジングの壁面に複数の光源を取り付けると共に、各光源からの光が導かれる各光学部材を取り付ける各取付部を前記の壁面と交差するように設け、前記の壁面と各取付部との交差部分が壁面の高さ方向において異なるようにしたことを特徴とする光学装置。
【請求項６】
請求項５に記載の光学装置において、前記の壁面の上下方向の何れかの端面からの距離が長い交差部分を、前記の冷風流路に冷風を導く開口部に近い位置に設けたことを特徴とする光学装置。
【請求項７】
請求項６に記載の光学装置において、複数の光源が取り付けられた前記の壁面を、冷風を導く冷風流路に対して傾斜して設けたことを特徴とする光学装置。
【請求項８】
光学装置により感光体に画像情報に応じた露光を行って、感光体に静電潜像を形成する画像形成装置において、請求項１〜請求項７の何れか１項に記載の光学装置を用いたことを特徴とする画像形成装置。
【発明の詳細な説明】
【技術分野】
【０００１】
本発明は、ハウジングに光源と光源からの光が導かれる光学部材が設けられた光学装置及びこのような光学装置を備えた画像形成装置に関するものである。特に、ハウジングの壁面に光源が取り付けられると共に、前記の光源からの光が導かれる光学部材が、前記の壁面と交差するようにしてハウジングの内部に設けられた取付部に取り付けられた光学装置において、温度等の経時変化によって、前記の光源と光学部材との位置関係がずれるのを適切に防止し、光源と光学部材とが一定した状態で維持されるようにした点に特徴を有するものである。
【背景技術】
【０００２】
従来から、複写機、プリンター、ファクシミリ及びこれらの複合機からなる画像形成装置においては、光学装置を搭載し、この光学装置により感光体に画像情報に応じた露光を行って、感光体に静電潜像を形成することが行われている。
【０００３】
そして、このような光学装置として、従来においては、特許文献１に示されるように、ハウジングの壁面に光源を取り付け、この光源からの光をコリーメーターレンズ等の光学部材を介してポリゴンミラー等の回転多面鏡からなる走査光学素子に導き、この走査光学素子を介して光源からの光を感光体に導くようにしたものが使用されている。
【０００４】
ここで、前記のようにハウジングの壁面に取り付けられた光源から光を出射させるようにした場合、この光源が熱くなるため、この特許文献１においては、この回転多面鏡からなる走査光学素子と光源との間にガイド部材を設け、走査光学素子の回転により生じた空気の流れを前記の光源に導いて、光源を冷却させることが提案されている。
【０００５】
また、特許文献２においては、光源を保持する嵌合部を壁面から突出するように設け、このように突出した嵌合部の近傍に風路を形成し、この風路に風を導いて、光源を保持する嵌合部から熱を放熱させて、光源が設けられたハウジングの壁面が変形するのを防止するようにしたものが提案されている。
【０００６】
しかし、前記のハウジングとして、射出成型等により加熱された状態で成形された樹脂製のハウジングを用いるようにした場合、光源を取り付けるハウジングの壁面と交差するようにしてハウジングの内部に、前記の光源からの光が導かれる光学部材を取り付ける取付部を設けた場合、壁面と取付部とが交差する交差部分においては成形時における熱が十分に放熱されず、特に、壁面と取付部との交差部分が壁面の端面から離れた位置にある場合には、成形時における熱がより放熱されにくくなり、壁面と取付部との交差部分に熱が多く残った状態でハウジングが成形され、この交差部分に内部応力が残留した状態になる。
【０００７】
そして、このような樹脂製のハウジングにおいて、その壁面に光源を設けた場合に、前記の特許文献１、２に示すように、光源を冷却させたり、光源を保持する嵌合部から熱を放熱させるようにした場合においても、輸送時や画像形成装置内の温度上昇等により、交差部分に残留している内部応力が解放されて、光源が取り付けられた壁面と光学部材が取り付けられた取付部との交差部分が変形し、光源と光学部材との位置関係がずれて、光源からの光が光学部材に適切に導かれなくなり、感光体に静電潜像を適切に形成することができなくなって、画像品質に悪影響を及ぼすという問題があった。
【先行技術文献】
【特許文献】
【０００８】
【特許文献１】特開平６−３３７３６５号公報
【特許文献２】特開２００６−３０８７５４号公報
【発明の開示】
【発明が解決しようとする課題】
【０００９】
本発明は、ハウジングの壁面に光源を取り付けると共に、前記の光源からの光が導かれる光学部材を、前記の壁面と交差するようにしてハウジングの内部に設けられた取付部に取り付けるようにした光学装置において、温度上昇等により、壁面と取付部とが交差する交差部分に残留している内部応力が解放されて、この交差部分が変形するのを抑制し、前記の光源と光学部材との位置関係がずれるのを適切に防止し、光源と光学部材とが一定した状態で維持されるようにすることを課題とするものである。
【課題を解決するための手段】
【００１０】
本発明に係る光学装置においては、前記の課題を解決するため、ハウジングの壁面に光源が取り付けられると共に、前記の光源からの光が導かれる光学部材が、前記の壁面と交差するようにしてハウジングの内部に設けられた取付部に取り付けられた光学装置において、前記のハウジングに少なくとも２つの開口部を設けて、前記の壁面と取付部との交差部分の近傍に冷風を導く冷風流路をハウジングの内部に形成するにあたり、前記の取付部を前記の壁面の高さ方向の途中の位置に設け、前記の光学部材が取り付けられた部分とこの取付部を介して反対側の部分に前記の開口部を設け、前記の取付部を介して前記の光学部材が設けられた側と反対側におけるハウジングの内部に、前記の冷風流路を形成した。
【００１１】
そして、この光学装置においては、光源が取り付けられた壁面と光源からの光が導かれる光学部材が取り付けられた取付部との交差部分の近傍に、前記の冷風流路を通して冷風を導くようにする。
【００１２】
ここで、前記の光学装置においては、光源が設けられた壁面と前記の取付部との交差部分に近い位置に冷風を導く冷風流路が形成されるようにするため、前記の開口部をハウジングの壁面に設けることが好ましい。
【００１３】
また、この光学装置において、光源が取り付けられた壁面と光源からの光が導かれる光学部材が取り付けられた取付部との交差部分の近傍に、冷風流路を通して冷風を導くにあたっては、光源が設けられた壁面と取付部との交差部分に近い位置に設けられた開口部から冷風を冷風流路に導くようにする他、光源が設けられた壁面と取付部との交差部分から離れた位置に設けられた開口部から冷風を冷風流路に導くようにすることもできる。なお、冷風流路を通して冷風が前記の交差部分に導かれるまでに、この冷風の温度が上昇するのを抑制するためには、前記の交差部分に近い位置に設けられた開口部から、冷風を冷風流路に導くようにすることが好ましい。
【００１４】
そして、本発明に係る光学装置においては、前記のように取付部を前記の壁面の高さ方向の途中の位置に設け、前記の光学部材が取り付けられた部分とこの取付部を介して反対側の部分に前記の開口部を設け、前記の取付部を介して前記の光学部材が設けられた側と反対側におけるハウジングの内部に、前記の冷風流路を形成するようにした。このように冷風流路を、取付部を介して前記の光学部材が設けられた側と反対側におけるハウジングの内部に形成すると、冷風が前記の光源や光学部材に直接吹き付けられて、冷風に含まれる埃等が光源や光学部材に付着して汚れるのが防止される。
【００１５】
また、この光学装置においては、ハウジングの壁面に複数の光源を取り付けると共に、各光源からの光が導かれる各光学部材を取り付ける各取付部を前記の壁面と交差するように設け、前記の壁面と各取付部との交差部分が壁面の高さ方向において異なるようにすることができる。このようにすると、各光源から各光学部材に導かれた光を、各光学部材から反射鏡等の各偏向部材に適切に導くことができるようになる。
【００１６】
そして、このように壁面と各取付部との交差部分が壁面の高さ方向において異なるようにした場合、壁面の上下方向の何れか端面から前記の交差部分まで距離が長くなると、この交差部分においては、成形時における熱が十分に放熱されにくくなり、この交差部分に熱が多く残った状態でハウジングが成形され、この交差部分に大きな内部応力が残留した状態になる。
【００１７】
このため、壁面の上下方向の何れか端面からの距離が長い交差部分を、前記の冷風流路に冷風を導く開口部に近い位置に設け、冷風流路を通して導かれる冷風の温度が上昇しないようにして、この交差部分に冷風を導くようにすることが好ましい。
【００１８】
また、このように壁面の上下方向の何れか端面からの距離が長い交差部分を、前記の冷風流路に冷風を導く開口部に近い位置に設けるにあたっては、複数の光源が取り付けられた壁面を、冷風を導く冷風流路に対して傾斜するように設け、壁面の上下方向の何れか端面からの距離が長い交差部分を冷風流路に冷風を導く開口部に近づけるようにすることができる。
【００１９】
また、本発明の画像形成装置においては、光学装置により感光体に画像情報に応じた露光を行って、感光体に静電潜像を形成するにあたり、前記のような光学装置を用いるようにした。
【発明の効果】
【００２０】
本発明における光学装置のように、ハウジングに少なくとも２つの開口部を設けて、光源が取り付けられた壁面と光源からの光が導かれる光学部材が取り付けられた取付部との交差部分の近傍に冷風流路を形成し、この冷風流路を通して冷風を導くと、この冷風によって前記の交差部分が適切に冷却されるようになる。
【００２１】
この結果、本発明における光学装置においては、射出成型等により加熱された状態で成形された樹脂製のハウジングのように、光源が取り付けられた壁面と光源からの光が導かれる光学部材が取り付けられた取付部との交差部分に熱が残って、この交差部分に内部応力が残留した状態になっていても、前記のように冷風流路を通して冷風が導かれてこの交差部分が冷却されるようになり、画像形成装置内の温度上昇等によって温度等が経時変化しても、壁面と取付部とが交差する交差部分に残留している内部応力が解放されてこの交差部分が変形するのが防止され、壁面に取り付けられた光源と取付部に取り付けられた光学部材との位置関係が一定した状態で維持されるようになり、光源からの光が光学部材に適切に導かれるようになる。
【００２２】
そして、このような光学装置を用いた画像形成装置においては、この光学装置により感光体に画像情報に応じた露光を行って、感光体に静電潜像を形成するにあたり、光源からの光が光学部材に安定して適切に導かれ、感光体に静電潜像が適切に形成されるようになり、良好な画像が安定して得られるようになる。
【図面の簡単な説明】
【００２３】
【図１】本発明の実施形態に係る光学装置を用いる画像形成装置の例を示した概略断面図である。
【図２】本発明の実施形態に係る光学装置において、ハウジングにおける角取りされたコーナー部の壁面の外面側に４つの光源を設けると共に、コーナー部の壁面とこれに隣接する壁面とに開口部を設けた状態を示した部分斜視図である。
【図３】前記の実施形態に係る光学装置において、４つの光学部材をコーナー部の壁面と直交するようにしてハウジングの内部に設けられた各取付部の下部側に取り付けた状態を示した部分断面説明図である。
【図４】前記の実施形態に係る光学装置において、コーナー部の壁面の外面側に設けた各光源からの光を、各取付部に取り付けられた各光学部材に導く状態を示す一部を切欠いた部分底面図である。
【図５】前記の実施形態に係る光学装置において、コーナー部の壁面に設けた各光源と対向するようにして各光学部材を設けると共に、コーナー部の壁面とこれに隣接する壁面とに開口部を設けた状態を示す一部を切欠いた部分平面図である。
【図６】前記の実施形態に係る光学装置において、コーナー部の壁面に設けた第１の開口部から冷風をハウジング内の冷風流路に導き、この冷風をコーナー部の壁面と隣接する壁面に設けた第２の開口部から排出させる状態を示した部分斜視図である。
【図７】前記の実施形態に係る光学装置において、コーナー部の壁面と隣接する壁面に設けた第２の開口部から冷風をハウジング内の冷風流路に導き、この冷風をコーナー部の壁面に設けた第１の開口部から排出させる状態を示した部分斜視図である。
【発明を実施するための形態】
【００２４】
次に、本発明の実施形態に係る光学装置及びこの光学装置を用いる画像形成装置を添付図面に基づいて具体的に説明する。なお、本発明に係る光学装置及び画像形成装置は、下記の実施形態に示したものに限定されず、その要旨を変更しない範囲において適宜変更して実施できるものである。
【００２５】
先ず、本発明の実施形態に係る光学装置１００を使用する画像形成装置１の例を図１に基づいて説明する。
【００２６】
ここで、図１に示す画像形成装置１においては、その内部に４つの感光体１１を設けると共に、各感光体１１の周辺にそれぞれ、感光体１１の表面を帯電させる帯電装置１２と、現像剤を収容させて感光体１１にトナー像を形成する現像装置１３と、感光体１１に形成されたトナー像を後述する中間転写ベルト１７に転写させた後、感光体１１の表面に残留するトナーを回収する第１クリーニング装置１４とを設けている。
【００２７】
そして、４つの感光体１１に対応させて設けた各現像装置１３においては、それぞれ現像剤中におけるトナーの色彩を異ならせ、黒色，黄色，マゼンダ色，シアン色のトナーを収容させている。
【００２８】
そして、この画像形成装置１において、フルカラーの画像形成を行うにあたっては、前記の各感光体１１を回転させて、各感光体１１の表面をそれぞれ帯電装置１２によって帯電させ、このように帯電された各感光体１１の表面に対して、後述する光学装置１００からそれぞれの画像形成情報に従った露光を行い、各感光体１１の表面にそれぞれ静電潜像を形成するようにしている。
【００２９】
次いで、このように静電潜像が形成された各感光体１１に対して、それぞれ対応する現像装置１３から所定の色彩のトナーを、各感光体１１の静電潜像部分に供給して現像を行い、各感光体１１の表面にそれぞれの色彩のトナー像を形成するようにしている。
【００３０】
そして、前記のように各感光体１１に形成された各色彩のトナー像を、所要間隔を介して設けられた回転ローラー１６間に架け渡されて回転駆動される無端状の中間転写ベルト１７の表面に、前記の各感光体１１と対向して設けられた各一次転写ローラー１８により順々に一次転写させて、この中間転写ベルト１７の表面に各色彩のトナー像が合成されたトナー像を形成するようにしている。また、前記の中間転写ベルト１７に転写されずに各感光体１１の表面に残留しているトナーを、それぞれ対応して設けられた前記の第１クリーニング装置１４により、各感光体１１の表面から回収するようにしている。
【００３１】
そして、前記のように中間転写ベルト１７の上に形成されたトナー像を、この中間転写ベルト１７により二次転写ローラー１９と対向する位置に導くと共に、装置本体１の下部に収容された用紙Ｓを、給紙ローラー２１により給紙してタイミングローラー２２に送り、このタイミングローラー２２により用紙Ｓを適当なタイミングで中間転写ベルト１７と二次転写ローラー１９との間に導き、中間転写ベルト１７の上に形成されたトナー像を前記の二次転写ローラー１９により用紙Ｓに転写させるようにしている。また、用紙Ｓに転写されずに前記の中間転写ベルト１７の上に残ったトナーを、第２クリーニング装置２０によって中間転写ベルト１７の上から回収するようにしている。
【００３２】
そして、前記のようにトナー像が転写された用紙Ｓを定着装置２３に導き、この定着装置２３により用紙Ｓに転写された前記のトナー像を用紙Ｓに加熱定着させた後、このようにトナー像が定着された用紙Ｓを排紙ローラー２４により排紙させるようにしている。
【００３３】
次に、本発明の実施形態に係る光学装置１００について説明する。
【００３４】
ここで、この実施形態の光学装置１００においては、図２〜図５に示すように、ハウジング１１０の壁面１１１における角取りされたコーナー部の壁面１１１ａの外面側に、４つの光源１０１ａ〜１０１ｄをそれぞれ光源ホルダー１０２ａ〜１０２ｄにより、この壁面１１１ａの横方向及び高さ方向にそれぞれ所要間隔を介するようにして取り付けている。また、前記の各光源１０１ａ〜１０１ｄと対向するようにして、コリーメーターレンズからなる４つの光学部材１０３ａ〜１０３ｄを、それぞれホルダー部材１０４ａ〜１０４ｄに保持させた状態で、前記の壁面１１１ａと光軸の方向とが直交するようにしてハウジング１１０の内部に設けた各取付部１０５ａ〜１０５ｄの下部側に取り付けている。
【００３５】
ここで、各取付部１０５ａ〜１０５ｄと壁面１１１ａとが交差する部分を交差部分と呼ぶが、「交差」は、図２〜図５に示されるように各取付部１０５ａ〜１０５ｄが壁面１１１ａ片面側のみに突出する形状を含み、必ずしも壁面１１１ａの裏側にまで各取付部１０５ａ〜１０５ｄが突出していることを示すものではない。
【００３６】
そして、この実施形態の光学装置１００においては、前記の各光源１０１ａ〜１０１ｄからそれぞれ対応する各光学部材１０３ａ〜１０３ｄに向けて光を出射し、各光源１０１ａ〜１０１ｄからの光を各光学部材１０３ａ〜１０３ｄにより処理し、このように処理された光をそれぞれ反射鏡等の偏向部材（図示せず）により偏向させてポリゴンミラー等の走査光学素子（図示せず）に導き、この走査光学素子から前記の画像形成装置１に設けられた各感光体１１に画像情報に応じた露光を行うようにしている。
【００３７】
ここで、この実施形態の光学装置１００においては、ハウジング１１０における前記の壁面１１１ａの上面１１２から前記の各取付部１０５ａ〜１０５ｄが設けられた各交差部分までの高さ方向の距離ｈａ〜ｈｄが、第１の光源１０１ａと対向する第１の光学部材１０３ａが取り付けられた第１の取付部１０５ａから順番に、第４の光源１０１ｄと対向する第４の光学部材１０３ｄが取り付けられた第４の取付部１０５ｄに向かうに従って短くなっている。
【００３８】
そして、このような光学装置１００において、前記のハウジング１１０として、射出成型等により加熱された状態で成形された樹脂製のものを用いた場合、前記のコーナー部の壁面１１１ａと前記の取付部１０５ａ〜１０５ｄとの交差部分において、成形時における熱が十分に放熱されず、この交差部分に内部応力が残留した状態になる。特に、コーナー部の壁面１１１ａの上面１１２から前記の取付部１０５ａ〜１０５ｄとの交差部分との間の距離が大きくなるに従って内部応力の解放による影響が大きくなり、前記の壁面１１１ａの上面１１２から離れた位置にある前記の取付部１０５ａとの交差部分において、内部応力の解放時の影響が一番大きくなる。
【００３９】
そして、このような光学装置１００においては、画像形成装置１内の温度上昇等により、壁面１１１ａと前記の取付部１０５ａ〜１０５ｄとの交差部分の温度が変化すると、これにより交差部分に残留している内部応力が解放されてこの交差部分が変形し、前記の光源１０１ａ〜１０１ｄと光学部材１０３ａ〜１０３ｄとの位置関係がずれて、光源１０１ａ〜１０１ｄからの光が光学部材１０３ａ〜１０３ｄに適切に導かれなくなる。
【００４０】
そこで、この実施形態の光学装置１００においては、前記の取付部１０５ａ〜１０５ｄにおいて光学部材１０３ａ〜１０３ｄが取り付けられた面と反対側、すなわち前記の取付部１０５ａ〜１０５ｄよりも上側における前記のコーナー部の壁面１１１ａの上面側に第１の開口部１１３ａを設けると共に、前記の距離ｈａが大きい取付部１０５ａが設けられた側において、前記のコーナー部の壁面１１１ａと隣接する壁面１１１ｂに、第２の開口部１１３ｂを前記の第１の開口部１１３ａから離れるようにして設け、前記の取付部１０５ａ〜１０５ｄを介して前記の光学部材１０３ａ〜１０３ｄと反対側におけるハウジング１１０の内部に、第１の開口部１１３ａと第２の開口部１１３ｂとを通して冷風を導く冷風流路Ｌを設けている。
【００４１】
ここで、このように冷風流路Ｌを、前記の取付部１０５ａ〜１０５ｄを介して光学部材１０３ａ〜１０３ｄと反対側におけるハウジング１１０の内部に設けると、冷風が直接、前記の光学部材１０３ａ〜１０３ｄや光源１０１ａ〜１０１ｄに導かれるということがなく、冷風に埃等を含まれていたとしても、埃等が光学部材１０３ａ〜１０３ｄや光源１０１ａ〜１０１ｄに付着して、光学部材１０３ａ〜１０３ｄや光源１０１ａ〜１０１ｄが汚れるということがない。
【００４２】
そして、この実施形態の光学装置１００においては、例えば、図６に示すように、光源１０１ａ〜１０１ｄが取り付けられたコーナー部の壁面１１１ａに設けられた前記の第１の開口部１１３ａを通して、冷風をハウジング１１０内の冷風流路Ｌに導き、この冷風により、前記の壁面１１１ａと光学部材１０３ａ〜１０３ｄが設けられた前記の各取付部１０５ａ〜１０５ｄとの交差部分等を冷却した後、この冷風を、冷風流路Ｌを通して第２の開口部１１３ｂから排出させるようにする。
【００４３】
このようにすると、画像形成装置１内の温度が上昇した場合であっても、第１の開口部１１３ａからハウジング１１０内の冷風流路Ｌに導かれた冷風が、速やかに前記の壁面１１１ａと光学部材１０３ａ〜１０３ｄが設けられた前記の各取付部１０５ａ〜１０５ｄとの交差部分に導かれて、この交差部分が適切に冷却されるようになり、この交差部分が変形するのが適切に防止され、前記の各光源１０１ａ〜１０１ｄと各光学部材１０３ａ〜１０３ｄとの位置関係が一定した状態で維持され、各光源１０１ａ〜１０１ｄからの光が各光学部材１０３ａ〜１０３ｄに適切に導かれて、良好な画像形成が安定して行えるようになる。
【００４４】
また、この実施形態の光学装置１００においては、図７に示すように、コーナー部の壁面１１１ａと隣接する前記の壁面１１１ｂにおいて、前記の第１の開口部１１３ａから離れた位置に設けられた第２の開口部１１３ｂを通して、冷風をハウジング１１０内の冷風流路Ｌに導き、この冷風により、前記の壁面１１１ａと光学部材１０３ａ〜１０３ｄが設けられた前記の各取付部１０５ａ〜１０５ｄとの交差部分等を冷却した後、この冷風を前記の第１の開口部１１３ａから排出させるようにすることもできる。
【００４５】
このようにした場合、コーナー部の壁面１１１ａと光学部材１０３ａ〜１０３ｄが設けられた前記の各取付部１０５ａ〜１０５ｄとの交差部分と、前記の第２の開口部１１３ｂとの距離が、壁面１１１ａの上面１１２からの距離ｈａが大きい取付部１０５ａが設けられた交差部分から順番に近くなっている。つまり、冷風流路Ｌに沿って上流側から取付部１０５ａ、１０５ｂ、１０５ｃ、１０５ｄが順に位置するため、第２の開口部１１３ｂからハウジング１１０内の冷風流路Ｌに導かれた冷風は、距離ｈａが大きい取付部１０５ａが設けられた交差部分から順番に導かれて、交差部分に残留している内部応力が大きい交差部分から順番に適切に冷却されるようになる。このため、これらの交差部分が変形するのが適切に防止され、前記の各光源１０１ａ〜１０１ｄと各光学部材１０３ａ〜１０３ｄとの位置関係が一定した状態で維持され、各光源１０１ａ〜１０１ｄからの光が各光学部材１０３ａ〜１０３ｄに適切に導かれて、良好な画像形成が安定して行えるようになる。
【００４６】
なお、前記の実施形態における光学装置１００においては、コーナー部の壁面１１１ａとこれに隣接する壁面１１１ｂに、第１の開口部１１３ａと第２の開口部１１３ｂとを設けるようにしたが、第１の開口部１１３ａと第２の開口部１１３ｂとの少なくとも一方を、ハウジング１１０の上面１１２に設けるようにすることもできる。
【符号の説明】
【００４７】
１        ：画像形成装置
１１      ：感光体
１２      ：帯電装置
１３      ：現像装置
１４      ：第１クリーニング装置
１６      ：回転ローラー
１７      ：中間転写ベルト
１８      ：一次転写ローラー
１９      ：二次転写ローラー
２０      ：第２クリーニング装置
２１      ：給紙ローラー
２２      ：タイミングローラー
２３      ：定着装置
２４      ：排紙ローラー
１００    ：光学装置
１０１ａ〜１０１ｄ  ：光源
１０２ａ〜１０２ｄ  ：光源ホルダー
１０３ａ〜１０３ｄ  ：光学部材
１０４ａ〜１０４ｄ  ：ホルダー部材
１０５ａ〜１０５ｄ  ：取付部
１１０    ：ハウジング
１１１    ：壁面
１１１ａ  ：コーナー部の壁面
１１１ｂ  ：コーナー部と隣接する壁面
１１２    ：上面
１１３ａ  ：第１の開口部
１１３ｂ  ：第２の開口部
Ｌ        ：冷風流路
Ｓ        ：用紙
ｈａ〜ｈｄ  ：コーナー部の壁面の上面から交差部分までの高さ方向の距離
【図１】
0006476792.tif 000002
【図２】
0006476792.tif 000003
【図３】
0006476792.tif 000004
【図４】
0006476792.tif 000005
【図５】
0006476792.tif 000006
【図６】
0006476792.tif 000007
【図７】
0006476792.tif 000008